(57)【要約】      （修正有）【課題】引き手を交換する際に組立のための機械を再度設計せずに、コストの節約ができる、引き手を交換可能なスライダー構造を提供する。【解決手段】第１の位置決め部１１３２が設けられたスライダー１１と、スライダーにヒンジ接続されたカバー１２と、スライダー内に設けられた弾性素子６と、第１の位置決め部に対応する第２の位置決め部２１１が設けられ、スライダーに挿設されると共に、弾性素子を押さえるように覆う鉤爪２と、位置決め軸５１が設けられた引き手５と、カバーの一端にヒンジ接続され、鉤爪と相互に当接し、スライダー、鉤爪と共に収容空間を形成し、位置決め軸が収容空間に設けられた引張案内ブロック３と、スライダー及びカバーに穿設されると共に鉤爪と相互にヒンジ接続された軸心７と、を備える。これにより、簡易な道具と軽微な力を用いるだけで引き手の交換を行うことが可能である。【選択図】図３
0003184585.tif 000002
【実用新案登録請求の範囲】
【請求項１】
第１の位置決め部が設けられたスライダーと、
前記スライダーにヒンジ接続されたカバーと、
前記スライダー内に設けられた弾性素子と、
前記第１の位置決め部に対応する第２の位置決め部が設けられ、前記スライダーに挿設されるとともに前記弾性素子を押さえるように覆う鉤爪と、
位置決め軸が設けられた引き手と、
前記カバーの一端にヒンジ接続され、前記鉤爪と相互に当接し、前記スライダー、前記鉤爪とともに収容空間を形成し、前記位置決め軸が前記収容空間に設けられた引張案内ブロックと、
前記スライダー及び前記カバーに穿設されるとともに、前記鉤爪と相互にヒンジ接続された軸心と、
を備えることを特徴とする引き手を交換可能なスライダー構造。
【請求項２】
前記スライダーには、第１の溝部及び第２の溝部が設けられ、且つ前記第１の溝部と前記第２の溝部が前記スライダーの表面で連通し、
前記カバー内部には、前記引張案内ブロック及び前記スライダーに当接するストッパーが設けられ、
前記鉤爪は、前記軸心にヒンジ接続されるとともに前記弾性素子を押さえるように覆うヒンジ接続基部を有することを特徴とする請求項１に記載の引き手を交換可能なスライダー構造。
【請求項３】
前記弾性素子は前記第１の溝部内に位置し、
前記ヒンジ接続基部は下側に向かってフック部が延在され、
前記フック部は前記第２の溝部内に進入することを特徴とする請求項２に記載の引き手を交換可能なスライダー構造。
【請求項４】
前記ヒンジ接続基部は、上側に向かって停止部が延在され、
前記停止部は前記引張案内ブロックに当接することを特徴とする請求項２に記載の引き手を交換可能なスライダー構造。
【請求項５】
前記ストッパーには、前記停止部と互いに対応する開口が設けられることを特徴とする請求項４に記載の引き手を交換可能なスライダー構造。
【請求項６】
前記スライダーの一側の一端寄りの箇所には２つの挟持板が設けられ、前記２つの挟持板にはそれぞれ第１の貫通孔が設けられ、
前記カバーの一端寄りの箇所の両側にはそれぞれ第２の貫通孔が設けられ、
前記軸心は前記第１の貫通孔と前記第２の貫通孔とを貫通することを特徴とする請求項５に記載の引き手を交換可能なスライダー構造。
【請求項７】
前記カバーには、第１の突起及び２つの第２の突起が設けられ、
前記ストッパーは、第１の曲折段部及び第２の曲折段部を有し、前記第１の曲折段部が前記２つの挟持板に当接し、前記第２の曲折段部が前記引張案内ブロックに当接し、
前記開口の一端が前記第１の突起に被せられ、
前記２つの第２の突起は前記第１の曲折段部及び前記第２の曲折段部の曲折箇所に当接することを特徴とする請求項６に記載の引き手を交換可能なスライダー構造。
【請求項８】
前記引張案内ブロックには、摺動溝及び当接面が設けられ、前記停止部が前記摺動溝と互いに接触し、前記ストッパーが前記当接面に当接することを特徴とする請求項７に記載の引き手を交換可能なスライダー構造。
【請求項９】
前記ヒンジ接続基部には、外側に向かって制動フックが延在され、
前記カバーには、前記制動フックに当接されるための第１の位置決め点及び前記ヒンジ接続基部に当接されるための第２の位置決め点が設けられ、
前記第１の位置決め部、前記第１の位置決め点及び前記第２の位置決め点によって、前記鉤爪が挟持固定されることを特徴とする請求項２に記載の引き手を交換可能なスライダー構造。
【請求項１０】
前記第１の位置決め部は凸部であり、前記第２の位置決め部は凹部であることを特徴とする請求項１に記載の引き手を交換可能なスライダー構造。
【考案の詳細な説明】
【技術分野】
【０００１】
本考案は引き手を交換可能なスライダー構造に関し、特に引き手を交換できるようにスライダーに間隙を開けることが可能なスライダー構造に関する。
【背景技術】
【０００２】
従来のファスナーヘッドは、ファスナーを開閉することが可能な連結部材であり、操作が容易である特性によって、今日に至るまで、ファスナーヘッドはカバンや衣服に幅広く応用されている。ファスナーの原理は、対向して噛み合わせることが可能な務歯を利用し、ファスナーヘッドを引っ張り往復移動させることで開閉を行う。
【０００３】
従来のファスナーヘッドは概して、スライダー、鉤爪、弾性板、カバー及び引き手を含む。鉤爪は弾性板の押圧によってスライダーの案内溝内に深く進入する。引き手は一端が鉤爪の下方に位置する。カバーは、鉤爪と弾性板がカバー内部に位置するようスライダーに蓋をするように固定される。このような従来技術として、例えば、台湾実用新案公告第Ｍ２９２２９６号（出願番号：９５２００１１３）に「ファスナーヘッド組み合わせ構造（二）」が開示されている。
【先行技術文献】
【特許文献】
【０００４】
【特許文献１】台湾実用新案公告第第Ｍ２９２２９６号（出願番号：９５２００１１３）
【考案の概要】
【考案が解決しようとする課題】
【０００５】
しかしながら、上述した従来のファスナーヘッドでは、その弾性体が機械的リベット締めによってスライダーに固定されるため、弾性体がスライダーに固定されると、鉤爪と引き手が一緒にスライダーに固定されることから、引き手を交換することができなくなる。しかし、実際の応用において、各下流メーカは、引き手に対し異なる需要があり、往々にしてそうした需要から異なる引き手に交換することがある。特に特殊な引き手については、往々にして少量であり且つ多彩な変化を有するため、手動機械的方法によって組み立てるしかなく、一種類の引き手について特定の機械を一台設計して組み立てる必要が生じ、コスト増加を免れない問題があった。
【０００６】
そこで、上述した欠点が改善可能であることに鑑みて、鋭意研究を行い学理を併せて運用した結果、上述した決定を合理的且つ効果的に改善する方法として本考案の完成を見るに至った。
【０００７】
本考案は、下流メーカが引き手を交換する際に組立のための機械を再度設計しなくてもよく、コストを節約することができる、引き手を交換可能なスライダー構造を提供することを課題とする。
【課題を解決するための手段】
【０００８】
上述した課題を解決するために、本考案は、第１の位置決め部が設けられたスライダーと、スライダーにヒンジ接続されたカバーと、スライダー内に設けられた弾性素子と、第１の位置決め部に対応する第２の位置決め部が設けられ、スライダーに挿設されるとともに弾性素子を押さえるように覆う鉤爪と、位置決め軸が設けられた引き手と、カバーの一端にヒンジ接続され、鉤爪と相互に当接し、スライダー、鉤爪とともに収容空間を形成し、位置決め軸が収容空間に設けられた引張案内ブロックと、スライダー及びカバーに穿設されるとともに、鉤爪と相互にヒンジ接続された軸心と、を備えることを特徴とする引き手を交換可能なスライダー構造を提供する。
【考案の効果】
【０００９】
本考案は、以下の有益な効果を有する。即ち、本考案に係るスライダー構造によれば、引張案内ブロックの設計によって、引き手の取り外し及び取り付けができるようにスライドファスナーヘッドに間隙を開けることができるとともに、操作が簡便で、人的コストを効果的に低減することができ、ひいては引き手を交換するために機械を再度設計する必要がない。
【図面の簡単な説明】
【００１０】
【図１】本考案に係る引き手を交換可能なスライダー構造の組立後を示した図である。
【図２】本考案に係る引き手を交換可能なスライダー構造の分解図である。
【図３】本考案に係る引き手を交換可能なスライダー構造の断面図（一）である。
【図４】本考案に係る引き手を交換可能なスライダー構造の断面図（二）である。
【図５Ａ】本考案に係る引き手を交換可能なスライダー構造の動作分解図（一）である。
【図５Ｂ】本考案に係る引き手を交換可能なスライダー構造の動作分解図（二）である。
【図５Ｃ】本考案に係る引き手を交換可能なスライダー構造の動作分解図（三）である。
【考案を実施するための形態】
【００１１】
本考案の特徴及び技術内容をより深く理解することができるように、以下、本考案について図面を参照しながら詳細に説明する。但し、これら説明及び図面は本考案を説明するために用いるものに過ぎず、本考案の権利範囲を何ら制限するものではない。
【実施例】
【００１２】
図１及び図２に示すように、本考案に係る引き手を交換可能なスライダー構造は、スライドファスナーヘッド１、鉤爪２、引張案内ブロック３、ストッパー４、引き手５、弾性素子６及び軸心７を備える。また、スライドファスナーヘッド１、鉤爪２及び引張案内ブロック３によって収容空間８が形成される。スライドファスナーヘッド１は、スライダー１１及びカバー１２を備える。ここで、弾性素子６は、スライダー１１内部に収容され、鉤爪２がスライダー１１に挿設されるとともに弾性素子６を押さえるように覆う。カバー１２は、一端が軸心７を介してスライダー１１及び鉤爪２と相互にヒンジ接続され、他端が引張案内ブロック３にヒンジ接続される。ストッパー４は、カバー１２内に設けられるとともに、スライダー１１及び引張案内ブロック３に当接し、収容空間８に係止される。
【００１３】
図２及び図３に示すように、スライダー１１は、上顎部１１１、下顎部１１２及び上顎部１１１と下顎部１１２とを接続するための接続部１１３を有する。この上顎部１１１、下顎部１１２及び接続部１１３は、一体に成形される。ここで、接続部１１３の内部には、第１の溝部１１３１及び第１の位置決め部１１３２が形成される。上顎部１１１には、第２の溝部１１１１が開設されるとともに、第１の溝部１１３１と第２の溝部１１１１が上顎部１１１の表面で連通している。第１の溝部１１３１には、弾性素子６が収容される。第１の溝部１１３１と第２の溝部１１１１とが連通する箇所の表面には、更に２つの挟持板１１１２が設けられ、この２つの挟持板１１１２のそれぞれに第１の貫通孔１１１３が開設され、突起部である第１の位置決め部１１３２が、２つの挟持板１１１２の間に位置している。上顎部１１１と下顎部１１２との間には、一組の務歯（図示せず）と互いに結合されるための案内溝１１４が形成される。
【００１４】
図２乃至図４に示すように、カバー１２は、受話器のような形状であり、先頭端１２１及び後尾端１２２を有し、内部は空洞を呈するとともに外部に連通している。先頭端１２１の両側にはそれぞれ内部に向かって凸部１２１１が形成される。後尾端１２２の両側にはそれぞれ第２の貫通孔１２２１が開設されるとともに、後尾端１２２の２つの縁部は、第１の位置決め点１２２２及び第２の位置決め点１２２３を有する。カバー１２の内側には、１つの第１の突起１２３及び２つの第２の突起１２４が設けられるとともに、カバー１２の後尾端１２２が２つの挟持板１１１２に被せられる。挟持板１１１２上の第１の貫通孔１１１３と、カバー１２上の第２の貫通孔１２２１とが互いに対応し、カバー１２がスライダー１１と相互に結合される際、カバー１２の後尾端１２２が第１の溝部１１３１の上顎部１１１に位置する延在部に当接して位置が制限される。
【００１５】
鉤爪２は、ほぼ木の枝状を呈し、ヒンジ接続基部２１、ヒンジ接続基部２１から延在されるフック部２２、及び停止部２３の３つに分かれている。ここで、ヒンジ接続基部２１は、その下側に前述した第１の位置決め部１１３２と互いに対応し且つ陥没部である第２の位置決め部２１１を有し、後方に外側に向かって制動フック２１２が延在されている。鉤爪２がスライダー１１の上顎部１１１の中に挿設されると、フック部２２が第２の溝部１１１１内に進入し、ヒンジ接続基部２１が前述した弾性素子６を押さえるように覆う。ヒンジ接続基部２１は、挟持板１１１２上の第１の貫通孔１１１３、カバー１２上の第２の貫通孔１２２１と位置が互いに対応しているため、軸心７を穿設することで、第１の貫通孔１１１３、第２の貫通孔１２２１及びヒンジ接続基部２１が相互にヒンジ接続される。注意すべき点は、このカバー１２は上顎部１１１に当接するため、実際に軸心７に沿って回動できるのは鉤爪２のみであることである。鉤爪２が静的平衡状態にある場合、制動フック２１２が第１の位置決め点１２２２に当接し、ヒンジ接続基部２１の上方の凸縁が第２の位置決め点１２２３に当接し、ヒンジ接続基部２１の下方が弾性素子６によって当接されるとともに、第２の位置決め部２１１が第１の位置決め部１１３２に当接する。但し、鉤爪２が外力に押されると（例えば、ユーザがファスナーを引っ張り動かす等）、鉤爪２は上側に向かって跳ね上がるとともに弾性素子６を圧縮し、外力が停止すると、弾性素子６は元の状態に復帰し鉤爪２を元の位置に押し戻す。
【００１６】
引張案内ブロック３は、特殊な設計のブロック体であり、その設置によって本考案は引き手５を交換することが可能となる。引張案内ブロック３の一端の両側それぞれに、カバー１２上の凸部１２１１と互いにヒンジ接続されるための凹部３１が設けられる。また、引張案内ブロック３の外形は、凹部３１の外周方向に沿って内側に向けて漸次狭くなり、斜面と平面を形成しており、その斜面には摺動溝３２が開設されている。引張案内ブロック３は、凹部３１に対する他端の両側それぞれに翼体３３を有し、この２つの翼体３３のそれぞれは更に、引き手５を交換する際に引張案内ブロック３を調整するのに用いられる力受け孔３３１を有する。更に言えば、２つの凹部３１が凸部１２１１にヒンジ接続されることによって、ユーザが引き手５を交換際する際には、力受け孔３３１に力を加えることで引張案内ブロック３を回動させることができる（針状の物体を力受け孔３３１に差し込むことによって行うことができる）。そして、摺動溝３２が鉤爪２の停止部２３と互いにぴったりと嵌まるので、鉤爪２が回動している時に停止部２３は摺動溝３２に沿って移動することができる。ファスナーを正常に使用している時に、ユーザがどの方向から引き手５を引っ張り動かしてファスナーを調整したとしても、引き手５が脱落することのないように、引張案内ブロック３によって必ずスライダー１１とカバー１２との間の間隙が塞がれる。
【００１７】
図２及び図５Ａに示すように、ストッパー４は、カバー１２の空洞部内に設置され、第１の曲折段部４１と第２の曲折段部４２とを有するとともに、開口４３が開設されている。第１の曲折段部４１は、前述した挟持板１１１２の上方に当接し、第２の曲折段部４２は、引張案内ブロック３の当接面３４に当接する。開口４３の一端がカバー１２の第１の突起１２３に被せられるとともに、２つの第２の突起１２４が第１の曲折段部４１と第２の曲折段部４２の曲折箇所に当接する。第１の曲折段部４１と第２の曲折段部４２は、スライダー１１の方向に向かって一定の角度曲折する。この曲折角度によって、ストッパー４が引張案内ブロック３の意図せぬ回動（例えば、衣服を洗濯している時に水流に押し動かされること等）を阻止するのに用いられる。開口４３の寸法は鉤爪２の停止部２３と互いにぴったりと嵌まるようにしてもよい。従って、鉤爪２のヒンジ接続基部２１が軸心７に沿って回動する時、停止部２３は、ストッパー４を貫くことができ、阻止されることはない。
【００１８】
図５Ａ乃至図５Ｃに示すように、スライダー１１、鉤爪２及び引張案内ブロック３によって、収容空間８が形成される。引き手５は、その表面に異なる様式の模様（図示せず）を印刷することができ、位置決め軸５１が設けられる。位置決め軸５１は、収容空間８に位置し、鉤爪２又は引張案内ブロック３が力を受けて回動すると、位置決め軸５１が収容された収容空間８はこれに伴って変化し、収容空間８に間隙８１が出現すると、ユーザは引き手５を出し入れすることができる。
【００１９】
全体的に言って、本考案は以下の特色を有する。即ち、引張案内ブロックの設計により、ユーザが簡単な道具を用いるだけで、引き手の取り外し及び取り付けができるようにスライドファスナーヘッドに間隙を開けることが可能であるとともに、操作が簡便で素早く行え、組み立て時に引き手を交換するために機械を再度設計する必要がないため、製造コストを効果的に低減し効率を向上することができる。また、ストッパーの設置により、引張案内ブロックが洗濯時に意図せず間隙を形成して引き手の脱落を招くことがない。
【００２０】
上記は本考案の好ましい実施例に過ぎず、本考案の範囲を限定するものではない。従って、本考案の明細書及び図面の内容を運用した等価の構造変化はすべて本考案の範囲に含まれる。
【符号の説明】
【００２１】
１  スライドファスナーヘッド
１１  スライダー
１１１  上顎部
１１１１  第２の溝部
１１１２  挟持板
１１１３  第１の貫通孔
１１２  下顎部
１１３  接続部
１１３１  第１の溝部
１１３２  第１の位置決め部
１１４  案内溝
１２  カバー
１２１  先頭端
１２１１  凸部
１２２  後尾端
１２２１  第２の貫通孔
１２２２  第１の位置決め点
１２２３  第２の位置決め点
１２３  第１の突起
１２４  第２の突起
２  鉤爪
２１  ヒンジ接続基部
２１１  第２の位置決め部
２１２  制動フック
２２  フック部
２３  停止部
３  引張案内ブロック
３１  凹部
３２  摺動溝
３３  翼体
３３１  力受け孔
３４  当接面
４  ストッパー
４１  第１の曲折段部
４２  第２の曲折段部
４３  開口
５  引き手
５１  位置決め軸
６  弾性素子
７  軸心
８  収容空間
８１  間隙
【図１】
0003184585.tif 000003
【図２】
0003184585.tif 000004
【図３】
0003184585.tif 000005
【図４】
0003184585.tif 000006
【図５Ａ】
0003184585.tif 000007
【図５Ｂ】
0003184585.tif 000008
【図５Ｃ】
0003184585.tif 000009